(57)【要約】【課題】ＳＳ−ＭＩＸにおいて個人情報保護機能を可能とすること。【解決手段】ＳＳ−ＭＩＸを用いた電子的診療情報交換システムにおいて、患者データを受け取る受け取り手段と、受け取ったデータをＳＳ−ＭＩＸの規約に基づいて保存する保存手段と、受け取った患者データまたは前期保存手段に保存されたデータから指定された個人情報を、他の文字列に置き換えまたは消去する置換データ作成手段と、置換データ作成手段により置き換えまたは消去する前の個人情報と、置き換えまたは消去後の文字列との対応表を作成する対応表作成手段と、置換データに基づき個人情報を置換または消去する個人情報置換手段と、対応表作成手段が作成したデータを保存または送信する保存手段と、個人情報置換手段により置換されたデータを保存するまたは送信する書き出し手段と、を有することで、上記課題を解決した。【選択図】図２
2015088150.tif 000002
【特許請求の範囲】
【請求項１】
ＳＳ−ＭＩＸを用いた電子的診療情報交換システムにおいて、患者データを受け取る受け取り手段と、受け取ったデータをＳＳ−ＭＩＸの規約に基づいて保存する保存手段と、受け取った患者データまたは前期保存手段に保存されたデータから指定された個人情報を、他の文字列に置き換えまたは消去する置換データ作成手段と、置換データ作成手段により置き換えまたは消去する前の個人情報と、置き換えまたは消去後の文字列との対応表を作成する対応表作成手段と、置換データに基づき個人情報を置換または消去する個人情報置換手段と、対応表作成手段が作成したデータを保存または送信する保存手段と、個人情報置換手段により置換されたデータを保存するまたは送信する書き出し手段と、を有することを特徴とするＳＳ−ＭＩＸを用いた電子的診療情報交換システム。
【請求項２】
置き換えまたは消去後の文字列との対応表を作成する対応表作成手段が、指定により対応表を作成しないことが選択可能な請求項１記載の電子的診療情報交換システム。
【請求項３】
対応表作成手段が作成したデータを保存または送信する保存手段が、指定により対応表を保存または送信しないことが選択可能な請求項１記載の電子的診療情報交換システム。
【請求項４】
ＳＳ−ＭＩＸを用いた電子的診療情報交換システムにおいて、患者データを受け取る受け取り手段と、受け取ったデータをＳＳ−ＭＩＸの規約に基づいて保存する保存手段と、受け取った患者データまたは前期保存手段に保存されたデータから指定された個人情報を、他の文字列に置き換えまたは消去する置換データ作成手段と、置換データ作成手段により置き換えまたは消去する前の個人情報と、置き換えまたは消去後の文字列との対応表を作成する対応表作成手段と、置換データに基づき個人情報を置換または消去する個人情報置換手段と、対応表作成手段が作成したデータを保存または送信する保存手段と、個人情報置換手段により置換されたデータを保存するまたは送信する書き出し手段と、を有するＳＳ−ＭＩＸを用いた電子的診療情報交換システムにおいて置換データ作成手段が高速匿名化アルゴリズムを使用することを特徴とする電子的診療情報交換システム。
【発明の詳細な説明】
【技術分野】
【０００１】  本発明は、患者情報を電子的に交換するシステムにおける個人情報保護装置に関するものである。
【背景技術】
【０００２】  電子カルテの普及に伴い、患者情報のデジタルデータをデジタル記憶媒体やデジタル伝送手段を媒体にして交換するような電子的交換や電子的収集を行うことが行われるようになりつつある。今までは、患者情報の電子交換技術に関しては、患者情報の収集は患者の紹介もと医療機関から臨床情報の提供を受け、紹介先診療機関での診療に利用する形態で行われていたが、現在は地域がん登録事業などにみられるように公衆衛生研究や臨床研究などのデータ収集にも利用されるようになってきている。従来からの電子交換技術では伝送媒体は、ＣＤ，ＤＶＤ、メモリなどの記録媒体，ＶＰＮ、ｉｎｔｅｒｎｅｔなどの伝達手段が使用されている。なお、本出願では
このような中で医療機関は臨床情報の電子的交換や電子的収集を行っていたが、その意図は紹介状や添付診療資料の電子化や患者情報の共有とそれに伴う省力化・効率化にあった。このような主目的が診療情報提供書（紹介状）のやり取りを目的としている既存の患者情報交換システムの一つであるＳＳ−ＭＩＸでは患者情報の匿名化については特に策定されず何もなされないままとなっていた。【０００３】このため、既存の患者情報の電子的交換システムのＳＳ−ＭＩＸを用いたシステムでは、有名人の病歴や疫学研究データなど患者情報の匿名化を行うことが望ましいデータを、一定の共通規約に基づいたデータ構造にて電子的に交換したり収集したりすることは不可能であった。【０００４】  本出願に係る発明は、ＳＳ−ＭＩＸによるこのような欠点を改善するためのものである。【０００５】  従来技術については下記先行技術文献を参照されたい。
【先行技術文献】
【特許文献】
【０００６】
【特許文献１】特開２００７−３２８４７３（Ｐ２００７−３２８４７３Ａ）
【０００７】
【特許文献２】特開２００８−１１２３９０（Ｐ２００８−１１２３９０Ａ）
【発明の概要】
【発明が解決しようとする課題】
【０００８】  解決しようとする問題点は、ＳＳ−ＭＩＸでは患者情報匿名化機能が無い点である。
【課題を解決するための手段】
【０００９】  本発明は、ＳＳ−ＭＩＸを用いた電子的診療情報交換システムにおいて、患者データを受け取る受け取り手段と、受け取ったデータをＳＳ−ＭＩＸの規約に基づいて保存する保存手段と、受け取った患者データまたは前期保存手段に保存されたデータから指定された個人情報を、他の文字列に置き換えまたは消去する置換データ作成手段と、置換データ作成手段により置き換えまたは消去する前の個人情報と、置き換えまたは消去後の文字列との対応表を作成する対応表作成手段と、置換データに基づき個人情報を置換または消去する個人情報置換手段と、対応表作成手段が作成したデータを保存または送信する保存手段と、個人情報置換手段により置換されたデータを保存するまたは送信する書き出し手段と、を有している。【００１０】高速匿名化アルゴリズムについては、本願を基礎とする優先権主張を伴う出願の際に高速アルゴリズムに関しての記述を入れる予定である。
【発明の効果】
【００１０】  本発明によれば従来不可能であったＳＳ−ＭＩＸを用いた患者情報匿名化機能が可能となる。
【図面の簡単な説明】
【００１１】
【図１】図１は従来からの電子的診療情報交換システムの機能イメージの概略図である。
【図２】図２は本願発明の実施例の概略図である。
【発明を実施するための形態】
【００１２】
【実施例１】
【００１３】  図２は本発明装置の１実施例の機能ブロック図である。【００１４】  ＳＳ−ＭＩＸを用いた電子的診療情報交換システムにおいて、患者データを受け取る受け取り手段と、受け取ったデータをＳＳ−ＭＩＸの規約に基づいて保存する保存手段と、受け取った患者データまたは前期保存手段に保存されたデータから指定された個人情報を、他の文字列に置き換えまたは消去する置換データ作成手段と、置換データ作成手段により置き換えまたは消去する前の個人情報と、置き換えまたは消去後の文字列との対応表を作成する対応表作成手段と、置換データに基づき個人情報を置換または消去する個人情報置換手段と、対応表作成手段が作成したデータを保存または送信する保存手段と、個人情報置換手段により置換されたデータを保存するまたは送信する書き出し手段と、を有している。【００１５】  患者データを受け取る受け取り手段（図未記載）が受け取ったデータを、個人情報を含む情報データベース（３）に保存し、次いで、
情報データベースから必要な情報を抽出する情報抽出手段（５）により必要な情報をとりだし、置換データ作成手段、対応表作成手段、個人情報置換手段を有する匿名化装置（７）により処理をし、対応表作成手段が作成したデータを保存し、個人情報置換手段により個人情報（例えば名前、住所）が解読不能文字列（例えば適当な１６進数の番号など可読性の低いランダムな文字列）に置換されたデータを保存する。その後、情報出力装置が匿名化済み情報データベースに匿名化されたデータを書き込む。【００１６】従来のＳＳ−ＭＩＸを用いた電子的診療情報交換システムにこのような構成を付加することで今まで不可能であった個人情報保護が可能となる。【００１７】なお、図１にみられるように多施設における情報のやり取りを行う構成とすることは本発明においても行われる。【００１８】また、匿名化に際して特に公衆衛生統計データベースのような大規模なデータベースにおける処理の場合、高速匿名化アルゴリズムを使用することが望ましい。【００１９】また、本願発明では匿名化装置は置換データ作成手段、対応表作成手段、個人情報置換手段からなる構成として描いているが情報データベースのデータベースマネジメントシステムに組み込むなどと個人情報保護装置部の組み込まれる位置はバリエーションが考えられる。【００２０】（高速匿名化アルゴリズムについては、本願を基礎とする優先権主張を伴う出願の際に高速アルゴリズムに関しての記述を入れる予定である。場合により別出願予定。）
【産業上の利用可能性】
【００２１】  本願発明によれば今までの電子的診療情報交換システムにおいて不可能であった個人情報保護が可能となり、データ元のプライバシー保護を図ることが可能となる。
【符号の説明】
【００２２】  １  他診療機関の医療情報システムのストレージ
２  別の他診療機関の医療情報システムのストレージ
３  個人情報を含む情報データベース
４  高速匿名化アルゴリズム
５  情報抽出装置
６  操作インターフェース
７  匿名化装置
８  情報蓄積装置
９  情報出力装置
１０  匿名化済み情報データベース
【図１】
2015088150.tif 000003
【図２】
2015088150.tif 000004